(57)【要約】【課題】漏水や美観の悪化を防止しつつ屋外側にコンセントを設ける。【解決手段】基礎２の上面２ｕに固定されかつ表面が該基礎２よりも前方にはみ出す外壁パネル３と、該外壁パネル３の下端部３ｄに固定された基礎見切４とを具えた外壁構造である。基礎見切４は、外壁パネル３の下端部３ｄから基礎２の上面２ｕを下方に越えてのびることにより、該外壁パネル３と基礎２との見切り部を目隠しする前板部４ａと、この前板部４ａに連なるとともに基礎２に向かって略水平にのびる下板４ｂとを含む断面略Ｌ字状をなす。下板４ｂには、開口部２５が形成されるとともに、該下板４ｂと、外壁パネル３の下端部３ｄとの間の空間Ｓに、開口部２５からプラグを差し込み可能なコンセント本体９が設けられる。【選択図】図１
2010222827.tif 000002
【特許請求の範囲】
【請求項１】
基礎の上面に固定されかつ表面が該基礎よりも前方にはみ出す外壁パネルと、該外壁パネルの下端部に固定された基礎見切とを具え、
前記基礎見切は、外壁パネルの下端部から基礎の上面を下方に越えてのびることにより該外壁パネルと基礎との見切り部を目隠しする前板部と、この前板部に連なるとともに基礎に向かって略水平にのびる下板とを含む断面略Ｌ字状をなし、かつ
前記下板には、開口部が形成されるとともに、該下板と、前記外壁パネルの下端部との間の空間に、前記開口部からプラグを差し込み可能なコンセント本体が設けられたことを特徴とする外壁構造。
【請求項２】
前記外壁パネルは、矩形に枠組みされた枠材と、その屋外側に添設された外装材とを含むとともに、該外壁パネルの屋内側に、中空層を介して内装材が配され、
前記コンセント本体の電源コードは、前記枠材に設けられた通し孔から前記中空層を通って屋内電源に接続される請求項１記載の外壁構造。
【請求項３】
前記枠材及び前記下板には、前記中空層の空気を外部に連通させる換気孔を有する請求項２記載の外壁構造。
【請求項４】
前記コンセント本体は、前記下板に沿って水平方向に移動可能なスライド手段を介して前記空間に配される請求項１乃至３のいずれかに記載の外壁構造。
【発明の詳細な説明】
【技術分野】
【０００１】
本発明は、漏水や美観の悪化を防止しつつ屋外側にコンセントを設けることが可能な外壁構造に関する。
【背景技術】
【０００２】
従来、例えばガーデニング時に使用する電気製品や、屋外の照明等の電源を確保するために、図６に示されるように、家屋の外壁ａに、防水型の屋外用コンセント本体ｂが設けられる（例えば、特許文献１参照）。
【先行技術文献】
【特許文献】
【０００３】
【特許文献１】特開平０５−１４４５０８号公報
【発明の概要】
【発明が解決しようとする課題】
【０００４】
しかしながら、このようなコンセント本体ｂを外壁ａに取り付けるには、装飾された外装材に、コンセント本体ｂ取付用の孔ｃを設ける必要がある。コンセント本体ｂと該孔ｃとの隙間は、防水処理がなされるが、経時劣化や不十分な防水処理等により、前記孔ｃから壁内部に雨水が浸入するおそれがあった。
【０００５】
また、コンセント本体ｂは、外壁ａから屋外側へ突出して設けられるため、該外壁ａとの一体感が得られ難く美観を損ねる他、コンセント本体ｂの表面が風雨等に曝されて汚れが付着する等の問題もあった。
【０００６】
本発明は、以上のような実状に鑑み案出されたもので、外壁パネルの下端部に固定され基礎見切の基礎に向かって略水平にのびる下板に、開口部を形成するとともに、該下板と、外壁パネルの下端部との間の空間に、開口部からプラグを差し込み可能なコンセント本体を設けることを基本として、漏水や美観の悪化を防止しつつ屋外側にコンセント本体を設けうる外壁構造を提供することを主たる目的としている。
【課題を解決するための手段】
【０００７】
本発明のうち請求項１記載の発明は、基礎の上面に固定されかつ表面が該基礎よりも前方にはみ出す外壁パネルと、該外壁パネルの下端部に固定された基礎見切とを具え、前記基礎見切は、外壁パネルの下端部から基礎の上面を下方に越えてのびることにより該外壁パネルと基礎との見切り部を目隠しする前板部と、この前板部に連なるとともに基礎に向かって略水平にのびる下板とを含む断面略Ｌ字状をなし、かつ前記下板には、開口部が形成されるとともに、該下板と、前記外壁パネルの下端部との間の空間に、前記開口部からプラグを差し込み可能なコンセント本体が設けられたことを特徴とする外壁構造である。
【０００８】
また請求項２記載の発明は、前記外壁パネルは、矩形に枠組みされた枠材と、その屋外側に添設された外装材とを含むとともに、該外壁パネルの屋内側に、中空層を介して内装材が配され、前記コンセント本体の電源コードは、前記枠材に設けられた通し孔から前記中空層を通って屋内電源に接続される請求項１記載の外壁構造である。
【０００９】
また請求項３記載の発明は、前記枠材及び前記下板には、前記中空層の空気を外部に連通させる換気孔を有する請求項２記載の外壁構造である。
【００１０】
また請求項４記載の発明は、前記コンセント本体は、前記下板に沿って水平方向に移動可能なスライド手段を介して前記空間に配される請求項１乃至３のいずれかに記載の外壁構造である。
【発明の効果】
【００１１】
本発明の外壁構造は、外壁パネルの下端部に固定され基礎見切の基礎に向かって略水平にのびる下板に、開口部が形成されるとともに、該下板と、外壁パネルの下端部との間の空間に、前記開口部からプラグを差し込み可能なコンセント本体が設けられる。このような外壁構造では、従来のように、外装材に、コンセント本体を固着するための孔を設ける必要がないため、施工性が向上するとともに、壁内部への雨水の浸入を防止できる。また、コンセント本体は、基礎見切の前板部、下板及び外壁パネルの下端で囲まれる空間に配されるので、外部から見え難く、しかも風雨に曝されることもない。従って、外壁の美観の悪化を防止しつつコンセント本体自体の風雨による汚損を防止しうる。
【図面の簡単な説明】
【００１２】
【図１】本実施形態の外壁構造の一形態を例示する断面図である。
【図２】図１の斜視図である。
【図３】図１の拡大断面図である。
【図４】コンセント本体のプラグ差込口が露出した基礎見切の下板の開口部を示す斜視図である。
【図５】コンセント本体のスライド手段を示す断面図である。
【図６】図５の正面図である。
【図７】従来のコンセント本体が設けられた外壁を示す斜視図である。
【発明を実施するための形態】
【００１３】
以下、本発明の実施の一形態が図面に基づき説明される。
【００１４】
本実施形態の外壁構造は、例えば工業化住宅の外壁に好適に採用することができるもので、図１〜図２に示されるように、基礎２の上面２ｕに固定される外壁パネル３と、該外壁パネル３の下端部３ｄに固定されかつ基礎２と外壁パネル３との見切り部を目隠しする基礎見切４とを有する。
【００１５】
前記基礎２は、例えばコンクリート製の布基礎であって、その上面２ｕには、上方へ突出するアンカーボルト１１が植設されている。また、前記アンカーボルト１１には、土台１０を介して基礎２に沿って水平にのびる断面略Ｌ型のファスナー材１２が固着されている。
【００１６】
本実施形態の外壁パネル３は、矩形に枠組みされた枠材５と、その屋外側Ｏに添設されかつ表面に所定の装飾が施された外装材６とを含む。また、外壁パネル３の屋内側Ｉには、中空層８を介して内装材７が配される。
【００１７】
前記枠材５は、例えば、溝型鋼などをその溝部を内側に向けて略矩形状に枠組みし、かつその内部に縦又は横の補強桟（図示省略）が配されたパネルフレーム状に形成される。そして、下端をのびる枠材５は、前記ファスナー材１２の立ち上げ部１２ａにボルトにて固定される。これにより、外壁パネル３は、基礎２の上面に固定されるとともに、外壁パネル３の外面が基礎２よりも前方にはみ出して設けられる。
【００１８】
前記外装材６は、枠材５の屋外側Ｏに、木質下地材１３を介して取り付けられる。外装材６としては、窯業系、金属系その他のサイディング板などが用いられる。また、外装材６の表面には、タイル材等の装飾材（図示省略）が貼り付けられたものでも良い。
【００１９】
前記内装材７は、床梁１４に載置される床下地板１５の上面に固着される。内装材７は、例えば木質材が矩形状に枠組された内の枠体１６と、その内部に配される断熱材１８と、前記内の枠体１６の屋内側Ｉに添設される内装板１７とを含む。内装板１７には、例えば、石膏ボード及び／又は合板等から形成される。また、前記断熱材１８には、例えば、ロックウールやグラスウール等が用いられる。さらに、断熱材１８とファスナー材１２との間にも断熱材１９が配される。
【００２０】
前記基礎見切４は、外壁パネル３の下端部３ｄから下方へのびる前板部４ａと、この前板部４ａの下端で折れ曲がり前記基礎２に向かって略水平にのびる下板４ｂとを含む断面略Ｌ字状の押出しされた薄板の金物として形成される。
【００２１】
図３に拡大して示されるように、前記前板部４ａは、実質的に外装材６の外面と面一にのびるとともに、その上端部には、外装材６から小隙間を隔てた位置で基礎２側に折り返されて前記木質下地材１３に達する返し部４ａ１と、該返し部４ａ１の端部で木質下地材１３に沿って上向きにのびる立片４ａ２とを有する。そして、この立片４ａ２が、前記木質下地材１３に釘にて固着される。なお、前記返し部４ａ１と外装材６との間の小隙間には、釘打ち後、シーリング材２０が充填されて水密される。
【００２２】
また、前板部４ａの下端は、基礎２の上面２ｕをさらに下方に越えてのびることにより、外壁パネル３と基礎２との見切り部を目隠しでき、美観を高めるとともに、基礎２内部への風雨等の浸入を防止できる。
【００２３】
基礎見切４の前記下板４ｂは、前板部４ａの下端から基礎２に向かって略水平にのびるとともに、基礎２と小隙間を介して終端する。これにより、外壁パネル３の下端部３ｄと、基礎見切４の下板４ｂとの間には、前部が前板部４ａによりかつ後部が基礎２により覆われた風雨が浸入し難い空間Ｓが水平方向に連続して形成できる。そして、本実施形態では、前記空間Ｓに、コンセント本体９が設けられる。
【００２４】
前記コンセント本体９は、図４に示されるように、例えば略直方体状の筐体２２と、該筐体２２の一方の面に設けられるプラグ差込口２３と、該筐体２２の他方の面から引き出される電源コード２４とを有する。そして、本実施形態では、基礎見切４の下板４ｂに略矩形状の開口部２５が形成されるとともに、該開口部２５から前記プラグ差込口２３が屋外に露出するようコンセント本体９のプラグ差込口２３を下に向けて下板４ｂにビス２６にて固着される。これにより、屋外側Ｏで使用される各種電機機器のコンセントのプラグが差し込み可能なコンセント本体９が、外壁に設けることができる。
【００２５】
このように、本実施形態の外壁構造では、従来のように、外装材６にコンセント本体９を固着するための孔を設ける必要がないため、施工性を向上し、かつ、外壁内への雨水の浸入を確実に防止できる。しかも、コンセント本体９は、基礎見切４の前記空間Ｓに設けられるため、美観を損ねることが無く、かつ、風雨に直接曝されることもないので、その汚損を防止できる。
【００２６】
なお、図２に示されるように、前記コンセント本体９の電源コード２４は、枠材５に設けられた通し孔２７から中空層８を通って屋内電源（図示省略）に接続される。前記通し孔２７には、例えば電源コード２４との摩擦や引っ掛かりを抑制するハトメ状の保護部材３７等が設けられるのが好ましい。このように、中空層８を配線スペースとして使用することにより、電源コード２４の引き込み作業を容易に行うことができ、施工性が向上する。
【００２７】
また、前記枠材５には、例えば、中空層８の空気を外部に連通させる換気孔２８が複数形成されるが、この換気孔２８を通し孔２７として用いることもできる。この場合、通し孔２７の位置を適宜変えることができ、コンセント本体９の電源コード２４の配線作業を能率化しうる。
【００２８】
また、図５、図６には本発明の他の実施形態を示す。この実施形態では、コンセント本体９が、前記下板４ｂに沿って水平方向に移動可能なスライド手段３１を介して前記空間Ｓに配されている。本実施形態のスライド手段３１は、一端が枠材５に固着されかつ他端が基礎２の前面までのびる支持金具３２と、該支持金具３２に固着され、かつ下板４ｂに沿って水平にのびるレール部３３と、該レール部３３に摺動自在かつコンセント本体９が固着されるスライダ３４とを含んで構成される。また、スライダ３４には、下板４ｂと基礎２との間の隙間から、該下板４ｂよりも下方へのびるツマミ３５が固着される。
【００２９】
このようなスライド手段３１は、ツマミ３５を水平方向に移動させることによって、基礎見切４の内部に配されたコンセント本体９を水平移動させることができる。従って、コンセント本体９を、予め複数の位置に設けた下板４ｂの開口部２５の任意の位置に、屋外側Ｏから容易に移動できる。なお、電源コード２４としては、伸縮可能なカールコードが採用されるのが好ましい。
【００３０】
以上、本発明の特に好ましい実施形態について詳述したが、本発明は図示の実施形態に限定されることなく、種々の態様に変形して実施しうる。
【符号の説明】
【００３１】
２    基礎
３    外壁パネル
４    基礎見切
４ａ  前板部
４ｂ  下板
５  枠材
６  外装材
９    コンセント本体
２５    開口部
【図１】
2010222827.tif 000003
【図２】
2010222827.tif 000004
【図３】
2010222827.tif 000005
【図４】
2010222827.tif 000006
【図５】
2010222827.tif 000007
【図６】
2010222827.tif 000008
【図７】
2010222827.tif 000009